(57)【要約】【課題】好適なブレ補正を行うことができる光学装置及び光学機器を提供する。【解決手段】光学機器（２０）に取り付け可能な第１取付け部（３０Ａ）と、光学機器（２０）を支持するための支持装置に取り付け可能な第２取付け部（３０Ｂ）と、第１取付け部（３０Ａ）と第２取付け部（３０Ｂ）との間隔に対応する情報を光学機器（２０）に送信可能な送信部（３１）とを含むことを特徴とする光学装置。【選択図】図１
2011017775.tif 000002
【特許請求の範囲】
【請求項１】
光学機器に取り付け可能な第１取付け部と、
前記光学機器を支持するための支持装置に取り付け可能な第２取付け部と、
前記第１取付け部と前記第２取付け部との間隔に対応する情報を前記光学機器に送信可能な送信部とを含むことを特徴とする光学装置。
【請求項２】
請求項１に記載された光学装置であって、
前記送信部は、前記第１取付け部と前記第２取付け部との間隔に対応して構成された電気回路を有し、前記電気回路を用いて前記情報を前記光学機器に送信することを特徴とする光学装置。
【請求項３】
請求項１に記載された光学装置であって、
前記情報が記憶されたメモリを有し、
前記送信部は、前記メモリに記憶された前記情報を前記光学機器に送信することを特徴とする光学装置。
【請求項４】
光学機器に取り付け可能な第１取付け部と、
前記光学機器を支持するための支持装置に取り付け可能な第２取付け部と、
前記支持装置に対する前記光学機器の取り付け状態に関する情報が記憶されたメモリと、
前記メモリに記憶された前記情報を前記光学機器に送信可能な送信部とを含むことを特徴とする光学装置。
【請求項５】
請求項４に記載された光学装置であって、
前記メモリには、前記第１取付け部と前記第２取付け部との間隔に対応する情報、前記光学装置が一脚に取り付け可能なものであるか否かに関する情報、前記光学装置が三脚に取り付け可能なものであるか否かに関する情報、前記光学装置の剛性に関する情報、前記光学装置の材質に関する情報、前記第１取付け部の断面積に関する情報、及び、前記第２取付け部の断面積に関する情報のうち、少なくとも１つが記憶されていることを特徴とする光学装置。
【請求項６】
像を形成する光学系と、
前記光学系による像のブレを補正するために駆動するブレ補正部と、
支持装置に取り付け可能な座に取付け可能な取付け部と、
前記座から情報を受信可能な受信部と、
前記情報を用いて前記ブレ補正部を制御する制御部とを含むことを特徴とする光学機器。
【請求項７】
請求項６に記載された光学機器であって、
前記光学系の外側に備えられた円筒状の部材を有するレンズ鏡筒であることを特徴とする光学機器。
【請求項８】
請求項７に記載された光学機器であって、
前記受信部は、前記円筒状の部材の円周方向に沿って形成された、前記座に形成された導電部材と電気的に導通可能な導電部を有し、前記導電部を介して前記情報を受信することを特徴とする光学機器。
【発明の詳細な説明】
【技術分野】
【０００１】
この発明は光学装置及び光学機器に関する。
【背景技術】
【０００２】
従来、光学系による像を撮像する撮像装置の振れを検出する振れ検出部と、振れ検出部の出力に基づいて像のブレを補正するための補正量を演算する演算部とを含む光学装置が知られている（下記特許公報参照）。
【先行技術文献】
【特許文献】
【０００３】
【特許文献１】特開２００８−２４９９００号公報
【発明の概要】
【発明が解決しようとする課題】
【０００４】
ところで、一般に光学装置は三脚の使用を可能にする三脚座を有し、三脚座には高さの異なるものがある。ユーザの好みにより三脚座を交換することができる。
【０００５】
しかし、三脚座の高さの違いに応じて三脚のブレ特性が変化するため、例えば三脚座の高さが高くなると三脚のブレが変化し、十分なブレ補正を行うことができないおそれがある。
【０００６】
この発明はこのような事情に鑑みてなされたもので、その課題は好適なブレ補正を行うことができる光学装置及び光学機器を提供することである。
【課題を解決するための手段】
【０００７】
上記課題を解決するため請求項１記載の発明は、光学機器に取り付け可能な第１取付け部と、前記光学機器を支持するための支持装置に取り付け可能な第２取付け部と、前記第１取付け部と前記第２取付け部との間隔に対応する情報を前記光学機器に送信可能な送信部とを含むことを特徴とする光学装置である。
【０００８】
請求項２に記載の発明は、請求項１に記載された光学装置であって、前記送信部は、前記第１取付け部と前記第２取付け部との間隔に対応して構成された電気回路を有し、前記電気回路を用いて前記情報を前記光学機器に送信することを特徴とする。
【０００９】
請求項３に記載の発明は、請求項１に記載された光学装置であって、前記情報が記憶されたメモリを有し、前記送信部は、前記メモリに記憶された前記情報を前記光学機器に送信することを特徴とする。
【００１０】
請求項４に記載の発明は、光学機器に取り付け可能な第１取付け部と、前記光学機器を支持するための支持装置に取り付け可能な第２取付け部と、前記支持装置に対する前記光学機器の取り付け状態に関する情報が記憶されたメモリと、前記メモリに記憶された前記情報を前記光学機器に送信可能な送信部とを含むことを特徴とする。
【００１１】
請求項５に記載の発明は、請求項４に記載された光学装置であって、前記メモリには、前記第１取付け部と前記第２取付け部との間隔に対応する情報、前記光学装置が一脚に取り付け可能なものであるか否かに関する情報、前記光学装置が三脚に取り付け可能なものであるか否かに関する情報、前記光学装置の剛性に関する情報、前記光学装置の材質に関する情報、前記第１取付け部の断面積に関する情報、及び、前記第２取付け部の断面積に関する情報のうち、少なくとも１つが記憶されていることを特徴とする。
【００１２】
請求項６に記載の発明は、像を形成する光学系と、前記光学系による像のブレを補正するために駆動するブレ補正部と、支持装置に取り付け可能な座に取付け可能な取付け部と、前記座から情報を受信可能な受信部と、前記情報を用いて前記ブレ補正部を制御する制御部とを含むことを特徴とする光学機器である。
【００１３】
請求項７に記載の発明は、請求項６に記載された光学機器であって、前記光学系の外側に備えられた円筒状の部材を有するレンズ鏡筒であることを特徴とする。
【００１４】
請求項８に記載の発明は、請求項７に記載された光学機器であって、前記受信部は、前記円筒状の部材の円周方向に沿って形成された、前記座に形成された導電部材と電気的に導通可能な導電部を有し、前記導電部を介して前記情報を受信することを特徴とする。
【発明の効果】
【００１５】
この発明によれば、好適なブレ補正を行うことができる。
【図面の簡単な説明】
【００１６】
【図１】図１はこの発明の第１実施形態に係る光学装置の構成を示す概念図である。
【図２】図２は三脚座の高さがＬ２であるときの三脚座の高さを判定する方法を説明する図である。
【図３】図３は三脚座の高さがＬ３であるときの三脚座の高さを判定する方法を説明する図である。
【図４】図４はこの発明の第２実施形態に係る光学装置の構成を示す概念図である。
【発明を実施するための形態】
【００１７】
以下、この発明の実施の形態を図面に基づいて説明する。
【００１８】
図１はこの発明の第１実施形態に係る光学装置１の構成を示す概念図である。
【００１９】
カメラ（光学装置）１は、カメラ本体１０と、カメラ本体１０に着脱可能な交換レンズ（光学機器）２０と、交換レンズ２０を図示しない三脚（支持装置）に取り付けるための三脚座（座）３０とを備えている。
【００２０】
カメラ本体１０と交換レンズ２０とで光学機器が構成される。
【００２１】
カメラ本体１０は、交換レンズ２０を介して入射した光の強弱の光学像をその強弱に応じた電気信号に変換する撮像素子であるＣＣＤ１２と、画像を表示するＬＣＤ表示部１３と、ＣＣＤ１２及びＬＣＤ表示部１３を制御するＣＰＵ１１と備えている。
【００２２】
交換レンズ２０は、像を形成する光学系を構成するフォーカシングレンズ２１とＶＲレンズ２２との外側に備えられた図示しない円筒状の部材を有するレンズ鏡筒である。フォーカシングレンズ２１はフォーカスアクチュエータ（駆動手段）２３で駆動され、フォーカシングレンズ２１の焦点調節が行われる。光透過部材であるＶＲレンズ２２はＶＲレンズ群駆動装置２４で駆動され、光学機器のブレによる像面での像ブレが補正される。ＶＲレンズ２２とＶＲレンズ群駆動装置２４とでブレ補正部が構成される。なお、ブレ補正部は、例えばカメラ本体１０に収容されたミラー（図示せず）等の光を反射させる部材やＣＣＤ、ＣＭＯＳセンサ等の撮像素子を有するものであってもよい。また、ブレ補正部は、例えば、ＣＣＤ１２から出力された画像信号をＰＳＦ（点像分布関数）等を用い、像ブレを電子的に補正するものであってもよい。
【００２３】
ＣＰＵ２５は交換レンズ２０の動作を制御するものであり、例えば図示しないＲＯＭ、ＲＡＭを有するワンチップマイコンで構成される。ＣＰＵ２５はＲＯＭに格納されたシーケンスプログラムにしたがってフォーカスアクチュエータ２３の駆動を制御したり、カメラ本体１０のＣＰＵ１１との間で信号の授受を制御したりする。また、ＣＰＵ２５は、ブレ補正の指示があったとき、後述する接点２９ａ〜２９ｃを介して受信された三脚座３０の種類に対応する情報に基づいて、ＶＲレンズ群駆動装置２４を三脚座３０に応じた最適のアルゴリズムを適用して制御する。
【００２４】
フォーカシングレンズ２１の位置はズームエンコーダ（図示せず）等のフォーカスレンズ群検出装置２６で検出され、その検出結果を示す信号がＣＰＵ２５に出力される。
【００２５】
ＶＲレンズ２２の位置は角度センサ（図示せず）等のＶＲレンズ群位置検出部２７で検出され、その検出結果を示す信号がＣＰＵ２５に出力される。
【００２６】
また、交換レンズ２０の第３取付け部（取付け部）２２Ａには、三脚座３０の第１取付け部３０Ａに設けられた複数の接点（導電部材）３１ａ〜３１ｃとそれぞれ電気的に導通可能な接点（導電部）２９ａ〜２９ｃが設けられている。接点２９ａ〜２９ｃはそれぞれＣＰＵ２５に接続されている。接点２９ａ〜２９ｃが受信部２９を構成する。
【００２７】
なお、接点３１ａ、接点２９ａはグランドレベル（ＧＮＤ）である。接点２９ａ〜２９ｃは交換レンズ２０の周方向に沿って形成されている。なお、接点２９ａ〜２９ｃを全周に亘って形成してもよいし、そうでなくてもよい。
【００２８】
三脚座３０の接点３１ａ〜３１ｃは送信部３１の一部を構成する。送信部３１は、第１取付け部３０Ａと後述する第２取付け部３０Ｂとの間隔（三脚座３０の高さ）等に対応する情報をカメラ本体１０や交換レンズ２０に送信するための電気回路（図示せず）を有している。
【００２９】
また、三脚座３０は第１取付け部３０Ａの他に三脚を取り付けるための第２取付け部３０Ｂを有する。三脚座３０はメモリ（例えば電源の供給なしに情報を保持することができるＥＥＰＲＯＭ）３６を有する。メモリ３６には、例えば、三脚座３０の高さに対応する情報、光学装置１が図示しない一脚（支持装置）に取り付け可能なものであるか否かに関する情報、光学装置１が三脚に取り付け可能なものであるか否かに関する情報、光学装置１の三脚座３０の材質の違いに起因する剛性に関する情報、第１取付け部３０Ａの断面積に関する情報、及び、第２取付け部３０Ｂの断面積に関する情報が記憶されている。
【００３０】
三脚座３０を交換レンズ２０に取り付け、カメラ１の電源がオンになったとき、送信部３１は電気回路を用いてメモリ３６に記憶された情報を三脚座３０から受信部２９へ送信する。ＣＰＵ２５は受信部２９から送られる三脚座３０の情報に基づいて三脚座３０の高さ等を認識することができる。
【００３１】
なお、電気回路は図示しない抵抗、コンデンサ、コイルを備え、例えば三脚座３０の高さに対応させて抵抗、コンデンサ、コイルの定数を変えたものであってもよい。また、三脚座３０の高さに対応して交換レンズ２０に接続される電気回路の接点２９ａ〜２９ｃの数や形状等を変えたものであってもよい。
【００３２】
次に、三脚座の高さ（Ｌ２，Ｌ３）の判別方法の一例を図２及び図３に基づいて説明する。
【００３３】
この例では、ＣＰＵ２５は信号Ａに基づいて三脚座３０の高さがＬ２であると認識し、信号Ａ＋Ｂに基づいて三脚座３０の高さがＬ３であると認識するものとする。
【００３４】
図２は三脚座３０の高さがＬ２であるときの三脚座３０の高さを判定する方法を説明する図である。
【００３５】
図２では接点３１ａと接点３１ｂとが接続されている。このとき、メモリ３６から信号Ａが送信部３１及び受信部２９（接点２９ａ〜２９ｃ）を介してＣＰＵ２５に送信される。信号Ａには上述した三脚座３０の高さ（Ｌ２）等に関する情報が含まれている。その結果、ＣＰＵ２５は交換レンズ２０に取り付けられた三脚座３０の高さがＬ２であることを認識することができる。
【００３６】
その後、ＣＰＵ２５は三脚座３０の高さに対応する情報に基づいてＶＲレンズ群駆動装置２４の駆動を制御する。
【００３７】
なお、図２では三脚座３０に接点３１ｃが形成されていないが、接点３１ｃを形成してもよい。
【００３８】
図３は三脚座３０の高さがＬ３（＜Ｌ２）であるときの三脚座の高さを判定する方法を説明する図である。
【００３９】
図３では接点３１ａと接点３１ｂと接点３１ｃとが接続されている。メモリ３６から信号Ａ＋Ｂが送信部３１及び受信部２９（接点２９ａ〜２９ｃ）を介してＣＰＵ２５に送信される。信号Ａ＋Ｂには三脚座３０の高さ（Ｌ３）等に関する情報が含まれている。その結果、ＣＰＵ２５は交換レンズ２０に取り付けられた三脚座３０の高さがＬ３であることを認識することができる。
【００４０】
その後、ＣＰＵ２５は三脚座３０の高さに対応する情報に基づいてＶＲレンズ群駆動装置２４の駆動を制御する。
【００４１】
図４はこの発明の第２実施形態に係る光学装置１００の構成を示す概念図であり、第１実施形態と共通する部分には同一符号を付してその説明を省略する。
【００４２】
この実施形態は三脚座３０からの情報を接点を介して有線で受信するのではなく、電波等を用いて無線で受信するようにした点で第１実施形態と相違する。
【００４３】
交換レンズ１２０には例えば受信用ＩＣで構成された受信部２９が設けられている。
【００４４】
また、三脚座３０には例えば送信用ＩＣで構成された送信部３１が設けられている。
【００４５】
三脚座３０が交換レンズ１２０に取り付けられたとき、送信部３１は電気回路を用いてメモリ３６に記憶された情報を三脚座３０から受信部２９へ無線（電波）で送信する。ＣＰＵ２５は受信部２９から送信された三脚座３０の情報に基づいて三脚座３０の高さを認識することができる。例えば、三脚座３０の高さがＬ１であるとき、メモリ３６から三脚座３０の高さＬ１等に関する情報がＣＰＵ２５に送信されるので、ＣＰＵ２５は交換レンズ２０に取り付けられた三脚座３０の高さがＬ１であることを認識することができる。
【００４６】
その後、ＣＰＵ２５は三脚座３０の高さに対応する情報に基づいてＶＲレンズ群駆動装置２４の駆動を制御する。
【００４７】
なお、例えば赤外線発光ダイオードを備え、赤外線によって情報を交換レンズ１２０に送信するようにしてもよい。例えば、送信部３１から送信する情報は、３８ｋＨｚ付近の周波数で振幅変調した赤外線を「１」、「０」で表わされる２値の情報で送る。また、受信部２９は例えばフォトダイオードを備え、送信部３１から送信された情報を受信する。
【００４８】
この実施形態によれば、三脚座３０の高さに応じて最適のアルゴリズムを適用して三脚ブレが補正されるので、十分な三脚ブレ補正を行うことができる。
【００４９】
なお、上記実施形態では光学機器が交換レンズ（レンズ鏡筒）２０、１２０であるが、光学機器は例えばカメラ本体１０、携帯電話、望遠鏡、スチルカメラ、ビデオカメラであってもよい。
【００５０】
また、上記実施形態では交換レンズ２０を取り付ける支持装置は三脚であるが、交換レンズ２０を取り付ける支持装置は一脚であってもよい。
【符号の説明】
【００５１】
１：カメラ（光学装置）、１０：カメラ本体、２０：交換レンズ（光学機器）、２１：フォーカシングレンズ、２２：ＶＲレンズ、２２Ａ：第３取付け部（取付け部）、２５：ＣＰＵ（制御部）、２９：受信部、２９ａ〜２９ｃ：接点（導電部）、３０：三脚座（座）、３０Ａ：第１取付け部、３０Ｂ：第２取付け部、３１：送信部、３１ａ〜３１ｃ：接点（導電部材）、３６：メモリ。
【図１】
2011017775.tif 000003
【図２】
2011017775.tif 000004
【図３】
2011017775.tif 000005
【図４】
2011017775.tif 000006